(57)【要約】【課題】ストロボ撮影を行う際、撮影条件が限定されることなく、レリーズタイムラグを短縮することができる撮像装置を提供する。【解決手段】撮像装置は、適切な撮像装置の動き状態、被写体の検出状態あるいは被写体の動き状態を検出し、これらの状態に基づき、選択されている撮影モードに応じて、ユーザが撮影態勢に入ることを予測し、ストロボの充電をあらかじめ開始しておく。これにより、レリーズ操作時のストロボ充電処理が不要となる。【選択図】図１
2009300579.tif 000002
【特許請求の範囲】
【請求項１】
ストロボ装置を用いて撮影する撮像装置であって、
前記ストロボ装置の充電を制御する充電制御手段と、
前記撮像装置が撮影操作前の状態にあるか否かを判断する判断手段と、
前記判断の結果に応じて、前記充電制御手段に指示を行う指示制御手段とを備えたことを特徴とする撮像装置。
【請求項２】
ストロボ装置を用いて撮影する撮像装置であって、
前記ストロボ装置の充電を制御する充電制御手段と、
前記撮像装置の動きを検出する動き検出手段と、
前記検出された撮像装置の動きの状態に応じて、前記充電制御手段に指示を行う指示制御手段とを備えたことを特徴とする撮像装置。
【請求項３】
ストロボ装置を用いて撮影する撮像装置であって、
前記ストロボ装置の充電を制御する充電制御手段と、
前記撮像装置の撮像信号から被写体を検出する被写体検出手段と、
前記検出された被写体の状態に応じて、前記充電制御手段に指示を行う指示制御手段とを備えたことを特徴とする撮像装置。
【請求項４】
ストロボ装置を用いて撮影する撮像装置であって、
前記ストロボ装置の充電を制御する充電制御手段と、
前記撮像装置の撮像信号から被写体の動きを検出する動き検出手段と、
前記検出された被写体の動きの状態に応じて、前記充電制御手段に指示を行う指示制御手段とを備えたことを特徴とする撮像装置。
【請求項５】
前記ストロボ装置は、前記撮像装置に内蔵されているか、あるいはコネクタを介して前記撮像装置に着脱自在であることを特徴とする請求項１乃至４のいずれかに記載の撮像装置。
【請求項６】
前記撮像装置が静止していると判断された場合、前記指示制御手段は、前記充電制御手段に充電開始を指示することを特徴とする請求項２記載の撮像装置。
【請求項７】
前記被写体検出手段によって前記被写体が一定期間検出された場合、前記指示制御手段は、前記充電制御手段に充電開始を指示することを特徴とする請求項３記載の撮像装置。
【請求項８】
前記検出された被写体が静止していると判断された場合、前記指示制御手段は、前記充電制御手段に充電開始を指示することを特徴とする請求項４記載の撮像装置。
【請求項９】
前記被写体までの距離を測距する測距手段を備え、
前記被写体までの距離が前記ストロボ装置の射程距離以下であり、かつ前記被写体が静止していないと判断された場合、前記指示制御手段は、前記充電制御手段に充電開始を指示することを特徴とする請求項３または７記載の撮像装置。
【請求項１０】
撮像装置による撮影に用いられるストロボ装置の充電制御方法であって、
前記撮像装置の判断手段が、前記撮像装置が撮影操作前の状態にあるか否かを判断する判断ステップと、
前記撮像装置の指示制御手段が、前記判断の結果に応じた充電指示を行う指示制御ステップと、
前記撮像装置の充電制御手段が、前記充電指示に従って、前記ストロボ装置の充電を制御する充電制御ステップとを有することを特徴とするストロボ装置の充電制御方法。
【請求項１１】
撮像装置による撮影に用いられるストロボ装置の充電制御方法であって、
前記撮像装置の動き検出手段が、前記撮像装置の動きを検出する動き検出ステップと、
前記撮像装置の指示制御手段が、前記検出された撮像装置の動きの状態に応じた充電指示を行う指示制御ステップと、
前記撮像装置の充電制御手段が、前記充電指示に従って、前記ストロボ装置の充電を制御する充電制御ステップとを有することを特徴とするストロボ装置の充電制御方法。
【請求項１２】
撮像装置による撮影に用いられるストロボ装置の充電制御方法であって、
前記撮像装置の被写体検出手段が、前記撮像装置の撮像信号から被写体を検出する検出ステップと、
前記撮像装置の指示制御手段が、前記検出された被写体の状態に応じた充電指示を行う指示制御ステップと、
前記撮像装置の充電制御手段が、前記充電指示に従って、前記ストロボ装置の充電を制御する充電制御ステップとを有することを特徴とするストロボ装置の充電制御方法。
【請求項１３】
撮像装置による撮影に用いられるストロボ装置の充電制御方法であって、
前記撮像装置の動き検出手段が、前記撮像装置の撮像信号から被写体の動きを検出する動き検出ステップと、
前記撮像装置の指示制御手段が、前記検出された被写体の動きの状態に応じた充電指示を行う指示制御ステップと、
前記撮像装置の充電制御手段が、前記充電指示に従って、前記ストロボ装置の充電を制御する充電制御ステップとを有することを特徴とするストロボ装置の充電制御方法。
【発明の詳細な説明】
【技術分野】
【０００１】
本発明は、ストロボ装置の充電を制御する撮像装置およびストロボ装置の充電制御方法に関する。
【背景技術】
【０００２】
従来のカメラは、ストロボ発光に際し、メインコンデンサの充電電圧を所定の電圧と比較し、この充電電圧が所定電圧以下であった場合、シャッタレリーズ時に必ずストロボの補充電を行う。このように、カメラは安定したストロボ発光量で撮影可能な構成を有する。
【０００３】
しかし、このようなカメラにおいては、ストロボ補充電の時間分、レリーズタイムラグが増加し、操作性を低下させる要因となっていた。
【０００４】
特許文献１には、ストロボ充電電圧に対応するストロボガイドナンバとＩＳＯ情報と被写体距離情報より演算される絞り値が、カメラの絞り補正可能範囲内にあると判別した場合、絞り補正を行ってレリーズする撮像装置が提案されている。これにより、操作性が向上する。
【特許文献１】特開平０７−１４０５１１号公報
【発明の開示】
【発明が解決しようとする課題】
【０００５】
しかしながら、上記従来の撮像装置では、以下に掲げる問題があった。即ち、この撮像装置は、ストロボガイドナンバとＩＳＯ情報と被写体距離情報より演算された絞り値がカメラの絞り補正可能範囲内である場合にのみ適応可能な構成となっているので、撮影条件によっては、補充電によるレリーズタイムラグの増加が発生した。
【０００６】
そこで、本発明は、ストロボ撮影を行う際、撮影条件が限定されることなく、レリーズタイムラグを短縮することができる撮像装置およびストロボ装置の充電制御方法を提供することを目的とする。
【課題を解決するための手段】
【０００７】
上記目的を達成するために、本発明の撮像装置は、ストロボ装置を用いて撮影する撮像装置であって、前記ストロボ装置の充電を制御する充電制御手段と、前記撮像装置が撮影操作前の状態にあるか否かを判断する判断手段と、前記判断結果に応じて、前記充電制御手段に指示を行う指示制御手段とを備えたことを特徴とする。
【０００８】
また、本発明の撮像装置は、ストロボ装置を用いて撮影する撮像装置であって、前記ストロボ装置の充電を制御する充電制御手段と、前記撮像装置の動きを検出する動き検出手段と、前記検出された撮像装置の動きの状態に応じて、前記充電制御手段に指示を行う指示制御手段とを備えたことを特徴とする。
【０００９】
また、本発明の撮像装置は、ストロボ装置を用いて撮影する撮像装置であって、前記ストロボ装置の充電を制御する充電制御手段と、前記撮像装置の撮像信号から被写体を検出する被写体検出手段と、前記検出された被写体の状態に応じて、前記充電制御手段に指示を行う指示制御手段とを備えたことを特徴とする。
【００１０】
また、本発明の撮像装置は、ストロボ装置を用いて撮影する撮像装置であって、前記ストロボ装置の充電を制御する充電制御手段と、前記撮像装置の撮像信号から被写体の動きを検出する動き検出手段と、前記検出された被写体の動きの状態に応じて、前記充電制御手段に指示を行う指示制御手段とを備えたことを特徴とする。
【００１１】
また、本発明のストロボ装置の充電制御方法は、撮像装置による撮影に用いられるストロボ装置の充電制御方法であって、前記撮像装置の判断手段が、前記撮像装置が撮影操作前の状態にあるか否かを判断する判断ステップと、前記撮像装置の指示制御手段が、前記判断結果に応じた充電指示を行う指示制御ステップと、前記撮像装置の充電制御手段が、前記充電指示に従って、前記ストロボ装置の充電を制御する充電制御ステップとを有することを特徴とする。
【００１２】
また、本発明のストロボ装置の充電制御方法は、撮像装置による撮影に用いられるストロボ装置の充電制御方法であって、前記撮像装置の動き検出手段が、前記撮像装置の動きを検出する動き検出ステップと、前記撮像装置の指示制御手段が、前記検出された撮像装置の動きの状態に応じた充電指示を行う指示制御ステップと、前記撮像装置の充電制御手段が、前記充電指示に従って、前記ストロボ装置の充電を制御する充電制御ステップとを有することを特徴とする。
【００１３】
また、本発明のストロボ装置の充電制御方法は、撮像装置による撮影に用いられるストロボ装置の充電制御方法であって、前記撮像装置の被写体検出手段が、前記撮像装置の撮像信号から被写体を検出する検出ステップと、前記撮像装置の指示制御手段が、前記検出された被写体の状態に応じた充電指示を行う指示制御ステップと、前記撮像装置の充電制御手段が、前記充電指示に従って、前記ストロボ装置の充電を制御する充電制御ステップとを有することを特徴とする。
【００１４】
また、本発明のストロボ装置の充電制御方法は、撮像装置による撮影に用いられるストロボ装置の充電制御方法であって、前記撮像装置の動き検出手段が、前記撮像装置の撮像信号から被写体の動きを検出する動き検出ステップと、前記撮像装置の指示制御手段が、前記検出された被写体の動きの状態に応じた充電指示を行う指示制御ステップと、前記撮像装置の充電制御手段が、前記充電指示に従って、前記ストロボ装置の充電を制御する充電制御ステップとを有することを特徴とする。
【発明の効果】
【００１５】
本発明の請求項１に係る撮像装置によれば、撮像装置が撮影操作前の状態にあるか否かを判断し、その判断結果に応じて充電制御手段に指示を行うので、ユーザが撮影態勢に入ろうとしていることを予測し、ストロボ装置の充電を予め開始しておくことができる。これにより、撮影操作（レリーズ操作）時のストロボ充電処理が不要となり、レリーズタイムラグを短縮することが可能となる。例えば、適切な撮像装置の動き状態、被写体の検出状態あるいは被写体の動き状態に基づき、ストロボ装置の充電をあらかじめ開始しておくことができる。このように、ストロボ撮影を行う際、撮影条件が限定されることなく、レリーズタイムラグを短縮することができる。従って、撮像装置の操作性の向上が図れる。
【００１６】
請求項２、６に係る撮像装置によれば、撮像装置が静止したことにより、ユーザがフレーミング操作を完了し、撮影態勢に入ろうとしていることを予測することができ、撮影操作が行われる前にストロボ装置の充電を開始しておくことが可能となる。
【００１７】
請求項３、７に係る撮像装置によれば、被写体が一定期間検出された場合、ユーザが被写体をフレーム内に捕らえることができており、撮影態勢に入ろうとしていると判断し、ストロボ装置の充電をあらかじめ開始しておくことが可能となる。
【００１８】
請求項４、８に係る撮像装置によれば、撮像装置が静止していることに加え、被写体である人物が静止していることを検出することができる。これにより、ユーザが撮影態勢に入ったことをより正確に予測し、ストロボ装置の充電をあらかじめ開始しておくことが可能となる。
【００１９】
請求項５に係る撮像装置によれば、種々のストロボ装置に適用することができる。
【００２０】
請求項９に係る撮像装置によれば、被写体が動いている状態であっても、ストロボ射程距離以内であれば、ストロボを発光させることによって高速シャッタでの撮影が実現可能である。
【発明を実施するための最良の形態】
【００２１】
本発明の撮像装置およびストロボ装置の充電制御方法の実施の形態について図面を参照しながら説明する。図１は実施の形態における撮像装置の構成を示す図である。本実施形態の撮像装置（カメラ）は、画像処理装置１００、ストロボ装置４００および記録媒体２００、２１０から主に構成される。
【００２２】
画像処理装置１００には、撮影レンズ１０、絞り機能を備えるシャッタ１２、光学像を電気信号に変換する撮像素子１４、および撮像素子１４のアナログ信号出力をデジタル信号に変換するＡ／Ｄ変換器１６が設けられている。
【００２３】
また、画像処理装置１００には、撮像素子１４、Ａ／Ｄ変換器１６およびＤ／Ａ変換器２６にクロック信号や制御信号を供給するタイミング発生回路１８等が設けられている。タイミング発生回路１８はメモリ制御回路２２およびシステム制御回路５０により制御される。
【００２４】
画像処理回路２０は、Ａ／Ｄ変換器１６からのデータあるいはメモリ制御回路２２からのデータに対して所定の画素補間処理や色変換処理を行う。また、画像処理回路２０は、撮像した画像データを用いて所定の演算処理を行う。
【００２５】
システム制御回路５０は、画像処理回路２０によって得られた演算結果に基づき、露光制御部４０および測距制御部４２を制御し、ＴＴＬ（スルー・ザ・レンズ）方式のＡＦ（オートフォーカス）処理、ＡＥ（自動露出）処理、ＥＦ（ストロボプリ発光）処理を行う。
【００２６】
さらに、画像処理回路２０は、撮像した画像データを用いて所定の演算処理を行い、得られた演算結果に基づいてＴＴＬ方式のＡＷＢ（オートホワイトバランス）処理や、画像全体または特定領域のフレーム間の相関データを出力する。
【００２７】
顔検出処理回路（部）２１は、撮像素子１４の撮像信号（撮像した画像データ）を用いて、パターン認識等により人物の顔を複数検出可能である。さらに、顔検出処理回路２１には、検出した各顔の大きさ等の情報を元に、主被写体とする人物の顔を自動で判断するアルゴリズムが搭載されており、主被写体人物の顔を抽出する処理を行うことができる。
【００２８】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２および顔検出処理回路２１を制御する。Ａ／Ｄ変換器１６から出力されるデータは、画像処理回路２０およびメモリ制御回路２２を介して、あるいは直接メモリ制御回路２２を介して、画像表示メモリ２４あるいはメモリ３０に書き込まれる。
【００２９】
画像表示部２８は、ＴＦＴ＿ＬＣＤ等からなり、画像表示メモリ２４に書き込まれた表示用の画像データをＤ／Ａ変換器２６を介して表示する。画像表示部２８を用いて撮像した画像データを逐次表示することで、電子ファインダ機能を実現することが可能である。
【００３０】
また、画像表示部２８は、システム制御回路５０の指示により、任意に表示をＯＮ／ＯＦＦすることが可能である。画像表示部２８の表示をＯＦＦにした場合、画像処理装置１００の電力消費を大幅に低減することができる。
【００３１】
さらに、画像表示部２８は、回転可能なヒンジ部によって画像処理装置１００と結合されており、自由な向きに角度を設定することで、電子ファインダ機能や再生表示機能などの各種表示機能を使用することが可能である。
【００３２】
また、画像表示部２８の表示部分を画像処理装置１００に向けて格納することが可能である。この場合、画像表示部開閉検知部１０６により、画像表示部２８の格納状態を検知し、画像表示部２８の表示動作を停止することができる。
【００３３】
メモリ３０は、撮影した静止画像や動画像を格納するためのものであり、所定枚数の静止画像や所定時間の動画像を格納するために十分な記憶容量を有する。これにより、複数枚の静止画像を連続して撮影する連射撮影やパノラマ撮影を行う場合にも、高速かつ大量の画像書き込みをメモリ３０に対して行うことが可能となる。また、メモリ３０はシステム制御回路５０の作業領域としても使用することが可能である。
【００３４】
圧縮・伸長回路３２は適応離散コサイン変換（ＡＤＣＴ）等により画像データを圧縮伸長するものである。圧縮・伸長回路３２は、メモリ３０に格納された画像データを読み込んで圧縮処理あるいは伸長処理を行い、この処理を終えたデータをメモリ３０に書き込む。
【００３５】
露光制御部４０は絞り機能を備えるシャッタ１２を制御するものであり、ストロボ４０４と連携することによりストロボ調光機能も有する。測距制御部４２は撮影レンズ１０のフォーカシングを制御する。
【００３６】
露光制御部４０および測距制御部４２はＴＴＬ方式を用いて制御される。撮像した画像データを画像処理回路２０によって演算した演算結果に基づき、システム制御回路５０は、露光制御部４０および測距制御部４２に対して制御を行う。
【００３７】
ズーム制御部４４は撮影レンズ１０のズーミングを制御する。バリア制御部４６はバリアである保護部１０２の動作を制御する。
【００３８】
システム制御回路５０は画像処理装置１００全体を制御する。メモリ５２はシステム制御回路５０の動作用の定数、変数、プログラム等を記憶する。
【００３９】
表示部５４は、システム制御回路５０でのプログラムの実行に応じて、文字、画像、音声等を用いて動作状態やメッセージ等を表示する液晶表示装置、スピーカ等からなる。表示部５４は、画像処理装置１００の操作部近辺の視認し易い位置に、単数あるいは複数個所設置され、例えばＬＣＤやＬＥＤ、発音素子等の組み合わせにより構成される。
【００４０】
また、表示部５４は、その一部の機能が光学ファインダ１０４内に設置されている。表示部５４の表示内容のうち、ＬＣＤ等に表示されるものとして、シングルショット／連写撮影表示、セルフタイマー表示、圧縮率表示、記録画素数表示、記録枚数表示、残撮影可能枚数表示、シャッタスピード表示、絞り値表示、露出補正表示がある。また、ストロボ表示、赤目緩和表示、マクロ撮影表示、ブザー設定表示、時計用電池残量表示、電池残量表示、エラー表示、複数桁の数字による情報表示、記録媒体２００、２１０の着脱状態表示、通信Ｉ／Ｆ動作表示、日付け・時刻表示等がある。
【００４１】
また、表示部５４の表示内容のうち、光学ファインダ１０４内に表示されるものとして、合焦表示、手振れ警告表示、ストロボ充電表示、シャッタスピード表示、絞り値表示、露出補正表示等がある。
【００４２】
不揮発性メモリ５６は電気的に消去・記録可能なメモリである。不揮発性メモリとして、例えばＥＥＰＲＯＭ等が用いられる。
【００４３】
モードダイアル６０、シャッタスイッチ（ＳＷ１）６２、シャッタスイッチ（ＳＷ２）６４、画像表示ＯＮ／ＯＦＦスイッチ６６、単写／連写スイッチ６８および操作部７０は、システム制御回路５０の各種の動作指示を入力するための操作部である。これらは、スイッチやダイアル、タッチパネル、視線検知によるポインティング、音声認識装置等の単数あるいは複数の組み合わせで構成される。
【００４４】
ここで、これらの操作部を具体的に説明する。モードダイアル６０は、電源オフ、自動撮影モード、撮影モード、パノラマ撮影モード、再生モード、マルチ画面再生・消去モード、ＰＣ接続モード等の各機能モードを切り替えて設定する。
【００４５】
シャッタスイッチ（ＳＷ１）６２は、シャッタボタン（図示せず）の操作途中でＯＮとなり、ＡＦ（オートフォーカス）処理、ＡＥ（自動露出）処理、ＡＷＢ（オートホワイトバランス）処理、ＥＦ（ストロボプリ発光）処理等の動作開始を指示する。
【００４６】
シャッタスイッチ（ＳＷ２）６４は、シャッタボタン（図示せず）の操作完了でＯＮとなり、一連の処理の動作開始を指示する。この一連の処理として、撮像素子１４から読み出した信号をＡ／Ｄ変換器１６およびメモリ制御回路２２を介してメモリ３０に画像データを書き込む露光処理、および画像処理回路２０やメモリ制御回路２２での演算を用いた現像処理が行われる。さらに、メモリ３０から画像データを読み出し、圧縮・伸長回路３２で圧縮を行い、記録媒体２００あるいは２１０に画像データを書き込む記録処理が行われる。
【００４７】
画像表示ＯＮ／ＯＦＦスイッチ６６は画像表示部２８のＯＮ／ＯＦＦを設定可能である。この機能により、光学ファインダ１０４を用いて撮影を行う際、ＴＦＴ＿ＬＣＤ等からなる画像表示部２８への電流供給を遮断することにより、省電力を図ることができる。
【００４８】
単写／連写スイッチ６８は、シャッタＳＷ２を押した場合、１駒の撮影を行って待機状態とする単写モードと、シャッタＳＷ２を押している間、連続して撮影を行い続ける連写モードとを設定可能である。
【００４９】
記録先選択スイッチ１１５は、撮像した画像の記録先を、「外部記憶装置」、「記録媒体」および「外部記憶装置及び記録媒体」の中から選択可能である。接続／切断スイッチ１１６は、外部装置との通信確立あるいは通信切断を指示する。
【００５０】
操作部７０は各種ボタンやタッチパネル等からなる。操作部７０には、メニューボタン、セットボタン、マクロボタン、マルチ画面再生改ページボタン、ストロボ設定ボタン、単写／連写／セルフタイマー切り替えボタン、メニュー移動＋（プラス）ボタン、メニュー移動−（マイナス）ボタンがある。また、再生画像移動＋（プラス）ボタン、再生画像−（マイナス）ボタン、撮影画質選択ボタン、露出補正ボタン、日付／時間設定ボタン、パノラマモード等の撮影・再生を実行する際に各種機能の選択・切り替えを設定する選択／切り替えボタンがある。また、パノラマモード等の撮影・再生を実行する際に各種機能の決定・実行を設定する決定／実行ボタン、画像表示部２８のＯＮ／ＯＦＦを設定する画像表示ＯＮ／ＯＦＦスイッチがある。また、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＣＣＤＲＡＷモードを選択するためのスイッチである圧縮モードスイッチ、再生モード、マルチ画面再生・消去モードがある。また、ＰＣ接続モード等の各機能モードを設定可能である再生モードスイッチ、撮影モード状態において撮影した画像をメモリ３０あるいは記録媒体２００、２１０から読み出して画像表示部２８によって表示する再生動作の開始を指示する再生スイッチ等がある。
【００５１】
電源制御部８０は、電池検出回路、ＤＣ−ＤＣコンバータ、通電するブロックを切り替えるスイッチ回路等により構成されており、電池の装着の有無、電池の種類および電池残量の検出を行う。また、電源制御部８０は、検出結果およびシステム制御回路５０の指示に従って、ＤＣ−ＤＣコンバータを制御し、必要な電圧を必要な期間、記録媒体を含む各部に供給する。
【００５２】
電源制御部８０には、コネクタ８２、８４を介して電源部８６が接続される。電源部８６は、アルカリ電池やリチウム電池等の一次電池、ＮｉＣｄ電池、ＮｉＭＨ電池、Ｌｉ電池等の二次電池、ＡＣアダプタ等からなる。
【００５３】
インタフェース９０、９４には、それぞれコネクタ９２、９６を介して、メモリカードやハードディスク等の記録媒体２００、２１０が接続されている。記録媒体着脱検知部９８は、コネクタ９２、９６にそれぞれ記録媒体２００、２１０が装着されているか否かを検知する。
【００５４】
なお、本実施形態では、記録媒体を取り付けるインタフェースおよびコネクタが２系統設けられている。もちろん、記録媒体を取り付けるインタフェースおよびコネクタは、単数あるいは複数、いずれの系統数を備える構成としても構わない。また、異なる規格のインタフェースおよびコネクタを組み合わせて備える構成としても構わない。
【００５５】
インタフェースおよびコネクタとしては、ＰＣＭＣＩＡカードやＣＦ（コンパクトフラッシュ（登録商標））カード等の規格に準拠したものを用いた構成とすることができる。
【００５６】
さらに、インタフェース９０、９４およびコネクタ９２、９６をＰＣＭＣＩＡカードやＣＦ（コンパクトフラッシュ（登録商標））カード等の規格に準拠したものを用いて構成した場合、各種通信カードを接続することが可能である。各種通信カードとして、ＬＡＮカードやモデムカード、ＵＳＢカード、ＩＥＥＥ１３９４カード、Ｐ１２８４カード、ＳＣＳＩカード、ＰＨＳ等の通信カード等が挙げられる。各種通信カードを接続することにより、画像処理装置１００は他のコンピュータやプリンタ等の周辺機器との間で画像データや画像データに付属した管理情報を転送し合うことができる。
【００５７】
保護部１０２は、画像処理装置１００のレンズ１０を含む撮像部を覆うことにより、撮像部の汚れや破損を防止するバリアである。
【００５８】
光学ファインダ１０４は、撮影時に撮影範囲を決めたり、ピントを合わせるために用いられる。そして、画像表示部２８による電子ファインダ機能を使用すること無しに、光学ファインダのみを用いて撮影を行うことが可能である。
【００５９】
また、光学ファインダ１０４内には、表示部５４の一部の機能、例えば、合焦表示、手振れ警告表示、ストロボ充電表示、シャッタスピード表示、絞り値表示、露出補正表示などが設置されている。
【００６０】
画像表示部開閉検知部１０６は、画像表示部２８がその表示部分を画像処理装置１００に向けて格納した格納状態にあるか否かを検知する。ここで、格納状態にあると検知された場合、画像表示部２８の表示動作を停止して不要な電力消費を抑えることが可能である。
【００６１】
通信部（通信制御部）１１１、１１３は、ＲＳ２３２Ｃ、ＵＳＢ、ＩＥＥＥ１３９４、Ｐ１２８４、ＳＣＳＩ、モデム、ＬＡＮ、無線通信等の各種通信機能を有する。コネクタ１１２は、通信部１１１により、ＵＳＢやＩＥＥＥ１３９４等の有線で画像処理装置１００を他の機器と接続する。
【００６２】
アンテナ１１４は、通信部１１３により、ＩＥＥＥ８０２．１１ｂ、ＩＥＥＥ８０２．１１ｇ等の無線ＬＡＮ通信、Ｂｌｕｅｔｏｏｔｈ等のスペクトラム拡散通信、ＩｒＤＡ等の赤外線通信等の無線接続を行うために用いられる。
【００６３】
なお、ここでは、有線用コネクタおよび無線接続アンテナの両方がシステム構成に含まれる場合を示したが、有線接続のみあるいは無線接続のみのシステム構成であってもよい。
【００６４】
また、前述したインタフェース９０、９４にそれぞれ接続されるコネクタ９２、９６には、ＬＡＮカード、モデムカード、ＵＳＢカード、ＩＥＥＥ１３９４カード、Ｐ１２８４カード、ＳＣＳＩカード、ＰＨＳ等の通信カード等の各種通信カードが接続されてもよい。そして、これにより、外部装置との通信を行うシステム構成であってもよい。
【００６５】
記録媒体２００は、メモリカードやハードディスク等の記録媒体であり、半導体メモリや磁気ディスク等から構成される記録部２０２、画像処理装置１００とのインタフェース２０４、および画像処理装置１００と接続を行うコネクタ２０６を備える。
【００６６】
記録媒体２１０は、メモリカードやハードディスク等の記録媒体であり、半導体メモリや磁気ディスク等から構成される記録部２１２、画像処理装置１００とのインタフェース２１４、および画像処理装置１００と接続を行うコネクタ２１６を備える。
【００６７】
ストロボ装置４００は撮像装置に内蔵され、ストロボ４０４およびストロボ制御回路４０５を有する。なお、ストロボ装置は、撮像装置に内蔵される代わりに、コネクタを介して撮像装置に着脱自在に設けられてもよい。
【００６８】
ストロボ４０４は、メインコンデンサ、メインコンデンサに充電するための昇圧回路、および閃光放電管を内蔵する。また、ストロボ４０４はストロボ調光機能も有する。ストロボ制御回路４０５は、システム制御回路５０からの指示に従って、ストロボ４０４内のメインコンデンサへの充電制御や発光制御を行う。また、ストロボ制御回路４０５は、ストロボ４０４内のメインコンデンサの充電電圧をＡＤ変換により取得し、システム制御回路５０に通知する。
【００６９】
動き検出（検知）部４０６は、画像処理装置の姿勢、変位量、速度、方向等を検知する。例えば、動き検出部４０６として、加速度や角速度を検出するモーションセンサや、撮像素子１４からの入力信号を元にした画像信号のフレーム間の相関データや画像信号の特徴抽出データを基に判断する検出部が挙げられる。この検出部は、検出結果から手振れによる周期的な変位の影響を無くし、ユーザのフレーミング操作による変位を検出可能なアルゴリズムも搭載している。
【００７０】
上記構成を有する撮像装置の動作を示す。図２、図３、図４および図５は画像処理装置１００の動作手順を示すフローチャートである。ここでは、画像処理装置１００の起動後、撮影から電源ＯＦＦになるまでの動作が示されている。この動作プログラムはシステム制御回路５０内のＲＯＭに記憶されており、システム制御回路５０内のＣＰＵによって実行される。
【００７１】
まず、電源投入により、システム制御回路５０が起動すると、システム制御回路５０は各周辺デバイスの初期設定等を行い、その後、カメラのストロボ設定を参照し、ストロボ設定ＯＦＦであるか否かを判別する（ステップＳ１）。ストロボ設定ＯＦＦである場合、システム制御回路５０はそのままステップＳ３の処理に進む。
【００７２】
一方、ストロボＯＦＦ設定でない場合、システム制御回路５０は、ストロボ制御回路４０５に対し、ストロボ４０４のメインコンデンサへの充電開始を指示する（ステップＳ２）。その後、システム制御回路５０は、ストロボ４０４のメインコンデンサの充電電圧が所定電圧（しきい値）Ｖ１以上であるか否かを判別する（ステップＳ３）。
【００７３】
ストロボ４０４のメインコンデンサの充電電圧が所定電圧Ｖ１に達すると、システム制御回路５０は、ストロボ制御回路４０５に対し、ストロボ４０４のメインコンデンサへの充電停止を指示する（ステップＳ４）。
【００７４】
そして、システム制御回路５０は、起動後、被写体に応じて、自動露出（ＡＥ）・自動焦点調整（ＡＦ）・自動ホワイトバランス（ＡＷＢ）を行いながら、ライブ画像表示を行う（ステップＳ５、Ｓ６、Ｓ７、Ｓ８）。ＡＥ・ＡＦ・ＡＷＢでは、撮像素子１４からの撮像信号をＡ／Ｄ変換器１６でデジタル信号に変換した後、画像処理回路２０における演算で求められた、輝度・コントラスト・色等の情報を元にフィードバック制御が行われる。ライブ画像表示は、撮像素子１４、Ａ／Ｄ変換器１６、画像処理回路２０およびメモリ制御回路２２を介して画像表示メモリ２４に逐次書き込まれたデータを、メモリ制御回路２２およびＤ／Ａ変換器２６を介して画像表示部２８に逐次表示することで、実現される。
【００７５】
システム制御回路５０は、動き検出部４０６の検出結果を逐次取得する（ステップＳ９）。さらに、システム制御回路５０は、顔検出処理回路２１の検出結果である主被写体人物の顔領域を逐次取得する（ステップＳ１０）。Ｓ１０は被写体検出手段に相当する。
【００７６】
システム制御回路５０は、モードダイアル６０で選択された撮影モードを判別する（ステップＳ１１）。そして、システム制御回路５０は、ステップＳ９、Ｓ１０で逐次得られた結果を基に、モードダイアル６０で選択された撮影モードに応じたストロボ充電判定処理を行う。
【００７７】
ステップＳ１１で、カメラが自動でシーンを判別してユーザにお勧めの撮影条件を提供するフルオートモードが選択されている場合、システム制御回路５０は、ステップＳ９の検出結果、過去一定時間、撮像装置が静止しているか否かを判別する（ステップＳ１２）。撮像装置が静止していない場合、システム制御回路５０はステップＳ２０の処理に進む。
【００７８】
一方、過去一定時間、撮像装置が静止していると判断された場合、システム制御回路５０は、ストロボ設定がＯＦＦであるか否かを判別する（ステップＳ１７）。ストロボ設定がＯＦＦでない場合、システム制御回路５０は、ストロボ４０４のメインコンデンサの充電電圧が所定電圧Ｖ１未満であるか否かを判別する（ステップＳ１８）。
【００７９】
システム制御回路５０は、ストロボ４０４のメインコンデンサの充電電圧が所定電圧Ｖ１に満たない場合、ストロボ制御回路４０５に対し、ストロボ４０４のメインコンデンサへの充電開始を指示（充電指示）する（ステップＳ１９）。Ｓ１９の処理は指示制御手段に相当する。
【００８０】
また、ステップＳ１７でストロボ設定がＯＦＦである場合、あるいはステップＳ１８で充電電圧が所定電圧Ｖ１以上で満たしている場合、システム制御回路５０はステップＳ２０の処理に進む。
【００８１】
このように、撮像装置が一定期間静止したことにより、システム制御回路５０は、ユーザがフレーミング操作を完了し、撮影態勢に入ろうとしていることを予測する。つまり、撮像装置が撮影操作前の状態にあることが判断される。これにより、撮影操作が行われる前にストロボの充電を開始しておくことが可能となる。
【００８２】
また、ステップＳ１１において、夜間の人物撮影に適した撮影条件を提供するナイトスナップモードが選択されている場合、システム制御回路５０は、ステップＳ９の検出結果、過去一定時間、撮像装置が静止しているか否かを判別する（ステップＳ１５）。撮像装置が静止していない場合、システム制御回路５０はステップＳ２０の処理に進む。
【００８３】
一方、ステップＳ９の検出結果、過去一定時間、撮像装置が静止していると判断された場合、システム制御回路５０は、ステップＳ１０の検出結果、主被写体人物の顔領域が過去一定期間静止しているか否かを判別する（ステップＳ１６）。主被写体人物の顔領域が過去一定期間静止していない場合、システム制御回路５０はステップＳ２０の処理に進む。
【００８４】
一方、過去一定時間、撮像装置が静止しており、かつ主被写体人物の顔領域が過去一定期間静止していると判断された場合、システム制御回路５０は、前述したステップＳ１７以降の処理に進む。
【００８５】
このように、人物をストロボ撮影する前提の撮影モードにおいては、システム制御回路５０は、撮像装置が静止していることに加え、主被写体人物が静止していることを検出する。これにより、撮像装置が撮影操作前の状態にあることが判断される。このように、ユーザが撮影態勢に入ったことをより正確に予測し、ストロボの充電をあらかじめ開始しておくことが可能となる。
【００８６】
また、ステップＳ１１において、動き回る子供の撮影に適した撮影条件を提供するキッズモードが選択されている場合、ストロボ射程距離以下であれば、ストロボを発光させることによって高速シャッタでの撮影が実現可能である。
【００８７】
システム制御回路５０は、ステップＳ１０で主被写体人物の顔領域が過去一定期間検出されているか否かを判別する（ステップＳ１３）。主被写体人物の顔領域が過去一定期間検出されていない場合、システム制御回路５０はステップＳ２０の処理に進む。
【００８８】
一方、主被写体人物の顔領域が過去一定期間検出されている場合、システム制御回路５０は、ステップＳ６でフォーカシングした結果、主被写体距離がストロボ射程距離以下（以内）であるか否かを判別する（ステップＳ１４）。主被写体距離がストロボ射程距離以内でない場合、システム制御回路５０はステップＳ２０の処理に進む。
【００８９】
一方、主被写体人物の顔領域が過去一定期間検出されており、かつ主被写体距離がストロボ射程距離以内である場合、システム制御回路５０は、前述したステップＳ１７以降の処理に進む。
【００９０】
このように、主被写体人物の顔が一定期間検出された場合、システム制御回路５０は、ユーザが被写体をフレーム内に捕らえることができており、撮影態勢に入ろうとしていると判断する。つまり、撮像装置が撮影操作前の状態にあることが判断される。これにより、ストロボの充電をあらかじめ開始しておくことが可能となる。
【００９１】
システム制御回路５０は、適切な撮像装置の動き状態、被写体の検出状態あるいは被写体の動き状態に基づき、選択されている撮影モードに応じた適切な判定アルゴリズムにより、ユーザが撮影態勢に入ることを予測し、ストロボの充電をあらかじめ開始しておく。これにより、後述するように、レリーズ操作時のストロボ充電処理が不要となり、レリーズタイムラグを短縮することが可能となる。
【００９２】
システム制御回路５０は、ユーザによるＳＷ操作を検出したか否かを判別する（ステップＳ２０）。ＳＷ操作を検出していない場合、システム制御回路５０はステップＳ３に戻り、これまでのモニタリング処理を繰り返す。
【００９３】
一方、ＳＷ操作を検出した場合、システム制御回路５０はＳＷ種別を検出する（ステップＳ２１）。システム制御回路５０は、ストロボ設定ボタンの操作を検出した場合、ステップＳ１に戻り、再度、ストロボモード判定を行う。
【００９４】
一方、ステップＳ２１でモードダイアルの変更を検出した場合、システム制御回路５０は、モードダイアルが他の撮影モードに変更されたか否かを判別する（ステップＳ２２）。モードダイアルが他の撮影モードに変更された場合、システム制御回路５０は、ステップＳ１に戻り、再度、ストロボモード判定を行う。
【００９５】
一方、ステップＳ２２でモードダイアルが電源ＯＦＦに変更された場合、システム制御回路５０は、各周辺デバイスへの電源供給を遮断した後、システムの電源を遮断することにより本処理を終了する。
【００９６】
一方、ステップＳ２１でシャッタＳＷ１の押下を検出した場合、システム制御回路５０は、測光処理を行って絞り値およびシャッタ時間を決定し（ステップＳ２３）、測距処理を行って撮影レンズ１０の焦点を被写体に合わせる（ステップＳ２４）。
【００９７】
システム制御回路５０は、ストロボ発光するか否かを判断する（ステップＳ２５）。この判断は、ステップＳ２３における測光結果だけでなく、ステップＳ９で取得した撮像装置の動き状態、ステップＳ１０で取得した主顔の検出状態や主顔の動き状態、あるいはステップＳ２４における被写体距離情報を基に行われる。なお、ストロボ発光する場合、システム制御回路５０は、ステップＳ２５において、ストロボ発光用の絞り値およびシャッタ時間を変更する。
【００９８】
システム制御回路５０は、ステップＳ２５の判断結果、ストロボ発光の有無を判別する（ステップＳ２６）。ストロボ発光なしと判別された場合、そのままステップＳ２９の処理に進む。一方、システム制御回路５０は、ステップＳ２５の判断結果でストロボ発光ありと判別された場合、ストロボ４０４のメインコンデンサの充電電圧が所定電圧Ｖ１以上であるか否かを判別する（ステップＳ２７）。
【００９９】
ストロボ４０４のメインコンデンサの充電電圧が所定電圧Ｖ１に満たない場合、システム制御回路５０は、ストロボ制御回路４０５に対し、ストロボ４０４のメインコンデンサへの充電開始を指示する（ステップＳ２８）。この後、システム制御回路５０はステップＳ２７の処理に戻る。ここで、あらかじめ撮像装置の動きや被写体の動き検出により、ユーザが撮影態勢に入ることを予測してステップＳ１９でストロボ充電が行われている。このため、実際には、ステップＳ２７においてメインコンデンサの充電電圧が所定電圧Ｖ１を下回ることは少なく、ストロボ充電待ちは不要となる。したがって、ストロボ充電によるレリーズタイムラグの増加による操作性の低下を防ぐことが可能となる。
【０１００】
一方、ステップＳ２６でストロボ発光なしの場合、あるいはステップＳ２７でストロボ充電完了の場合、システム制御回路５０は充電を停止する（ステップＳ２９）。
【０１０１】
システム制御回路５０は、シャッタＳＷ１がＯＮ（オン）であるか否かを判別する（ステップＳ３０）。シャッタＳＷ１がこの時点でＯＦＦ（オフ）されている場合、システム制御回路５０は、ステップＳ３に戻り、モニタリング動作に復帰する。
【０１０２】
一方、ステップＳ３０でシャッタＳＷ１がＯＮ（オン）である場合、システム制御回路５０は、シャッタＳＷ２がＯＮ（オン）であるか否かを判別する（ステップＳ３１）。シャッタＳＷ２がＯＦＦ（オフ）である場合、システム制御回路５０はステップＳ３０の処理に戻る。
【０１０３】
一方、シャッタＳＷ２が押されてオンになった場合、システム制御回路５０は、撮像素子１４への露光を開始する（ステップＳ３２）。システム制御回路５０は、ストロボ発光の有無を判別する（ステップＳ３３）。ストロボ発光ありの場合、システム制御回路５０は、ストロボ制御回路４０５に対し、ストロボ４０４の発光を指示する（ステップＳ３４）。一方、ステップＳ３３でストロボ発光なしの場合、システム制御回路５０はそのままステップＳ３５の処理に進む。
【０１０４】
システム制御回路５０は、ステップＳ３２の露光開始からステップＳ２５で決定されたシャッタ時間分経過した時点で、撮像素子１４への露光を終了する（ステップＳ３５）。システム制御回路５０は、露光完了後、撮像素子１４から電荷信号を読み出す（ステップＳ３６）。そして、システム制御回路５０は、Ａ／Ｄ変換器１６、画像処理回路２０およびメモリ制御回路２２を介して、あるいはＡ／Ｄ変換器１６から直接メモリ制御回路２２を介して、メモリ３０の所定領域への撮影画像データを書き込む。
【０１０５】
システム制御回路５０は、メモリ３０の所定領域へ書き込まれた画像データの一部を、メモリ制御回路２２を介して読み出す。そして、システム制御回路５０は、現像処理を行うために必要なＷＢ（ホワイトバランス）積分演算処理およびＯＢ（オプティカルブラック）積分演算処理を行う（ステップＳ３７）。システム制御回路５０は、その演算結果をシステム制御回路５０の内部メモリあるいはメモリ５２に記憶する。
【０１０６】
さらに、システム制御回路５０は、メモリ制御回路２２を介して、また必要に応じて画像処理回路２０を用いて、メモリ３０の所定領域に書き込まれた撮影画像データを読み出し、各種現像処理を行う（ステップＳ３８）。具体的に、システム制御回路５０は、その内部メモリあるいはメモリ５２に記憶した演算結果を用いて、ＡＷＢ（オートホワイトバランス）処理、ガンマ変換処理および色変換処理を含む各種現像処理を行う。
【０１０７】
システム制御回路５０は、メモリ３０の所定領域に書き込まれた画像データを読み出し、設定したモードに応じた画像圧縮処理を圧縮・伸長回路３２により行う（ステップＳ３９）。そして、システム制御回路５０は、メモリ３０の画像記憶バッファ領域の空き画像部分に、撮影して一連の処理を終えた画像データの書き込みを行う。
【０１０８】
システム制御回路５０は、現像処理済みの画像データから、画像処理回路２０を用いて表示用の画像データを画像表示メモリ２４に書き出し、メモリ制御回路２２およびＤ／Ａ変換器２６を介して画像表示部２８にレックレビューを表示する（ステップＳ４０）。
【０１０９】
システム制御回路５０は、メモリ３０の画像記憶バッファ領域に記憶した画像データを読み出し、インタフェース９０およびコネクタ９２を介して記録媒体２００へ書き込みを行う記録処理を行う（ステップＳ４１）。あるいは、システム制御回路５０はインタフェース９４およびコネクタ９６を介して記録媒体２１０へ書き込みを行う。記録媒体には、コンパクトフラッシュ（登録商標）等のメモリカード等が用いられる。なお、記録媒体２００あるいは２１０へ画像データの書き込みを行っている間、書き込み動作中であることを明示するために、システム制御回路５０は、表示部５４において、例えばＬＥＤを点滅させる等の記録媒体書き込み動作表示を行う。この後、システム制御回路５０は、ステップＳ３に戻り、モニタリング動作に復帰する。
【０１１０】
本実施形態の撮像装置は、適切な撮像装置の動き状態、被写体の検出状態あるいは被写体の動き状態を検出し、これらの状態に基づき、選択されている撮影モードに応じて、ユーザが撮影態勢に入ることを予測し、ストロボの充電をあらかじめ開始しておく。これにより、レリーズ操作時のストロボ充電処理が不要となり、レリーズタイムラグを短縮することが可能となる。すなわち、ストロボ撮影を行う際、撮影条件が限定されることなく、レリーズタイムラグを短縮することができる。
【０１１１】
なお、本発明は、上記実施形態の構成に限られるものではなく、特許請求の範囲で示した機能、または本実施形態の構成が持つ機能が達成できる構成であればどのようなものであっても適用可能である。
【０１１２】
例えば、上記実施形態では、ストロボ装置４００は、撮像装置（カメラ）に内蔵されており、画像処理装置１００に接続されていた。ストロボ装置４００は画像処理装置１００と分離して設けられ、コネクタを介して撮像装置と着脱自在に接続される構成であってもよい。さらには、複数種類のストロボ装置が、個々に画像処理装置１００と接続可能な構成、あるいは固定したままの状態となる構成であってもよい。
【０１１３】
また、本実施形態においては、顔検出処理回路２１で検出した人物の顔を被写体として説明を行ったが、あくまでも一例であり、被写体は人物の顔に限られない。
【０１１４】
また、本実施形態では、顔検出処理回路２１で検出した人物の顔領域の変化により、被写体の動きを検出するものとして説明したが、撮像した画像データを画像処理回路２０で演算して得られる輝度データの変化を基に、被写体の動きを検出することも可能である。あるいは、測距データの変化を基に、被写体の動きを検出することも可能である。ここで、輝度データや測距データは、撮像データから得られた情報ではなく、測光センサや測距センサを搭載することでも得られる。
【０１１５】
また、画像処理回路２０から出力される画像の特定領域のフレーム間相関データに基づき、被写体の動きを検出することも可能である。
【０１１６】
また、本実施形態においては、充電レベルを検出することにより充電するか否かを判断したが、前回所定の充電レベル（所定電圧）Ｖ１に到達してからの経過時間に基づいて充電を行うか否かを判断する構成としてもよい。例えば、ストロボ装置のメインコンデンサの放電特性に基づき、あらかじめ決定された所定の時間経過後、充電を行うと判断する等の構成であってもよい。
【０１１７】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１１８】
この場合、記憶媒体から読み出されたプログラムコード自体が前述した実施の形態の機能を実現することになり、そのプログラムコード及び該プログラムコードを記憶した記憶媒体は本発明を構成することになる。
【０１１９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１２０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１２１】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【０１２２】
また、記録媒体２００、２１０は、ＰＣＭＣＩＡカードやコンパクトフラッシュ（登録商標）等のメモリカード、ハードディスク等だけでなく、マイクロＤＡＴ、光磁気ディスクで構成されてもよい。また、記録媒体２００、２１０は、ＣＤ−ＲやＣＤ−ＷＲ等の光ディスク、ＤＶＤ等の相変化型光ディスク等で構成されてもよい。また、記録媒体２００、２１０がメモリカードとハードディスク等が一体となった複合媒体であってもよい。さらに、その複合媒体から一部が着脱可能な構成としてもよい。
【０１２３】
また、上記実施形態では、記録媒体は画像処理装置と分離して設けられ、画像処理装置にコネクタを介して着脱自在に接続されたが、いずれかあるいは全ての記録媒体が画像処理装置に固定したままとなっていてもよい。
【０１２４】
また、記録媒体は、画像処理装置に単数あるいは複数、つまり任意の個数接続可能な構成であっても構わない。
【０１２５】
また、本発明の撮像装置は、コンパクトタイプのデジタルカメラ、デジタルＳＬＲ（一眼レフカメラ）等に適用可能である。
【図面の簡単な説明】
【０１２６】
【図１】実施の形態における撮像装置の構成を示す図である。
【図２】画像処理装置１００の動作手順を示すフローチャートである。
【図３】図２につづく画像処理装置１００の動作手順を示すフローチャートである。
【図４】図２および図３につづく画像処理装置１００の動作手順を示すフローチャートである。
【図５】図２、図３および図４につづく画像処理装置１００の動作手順を示すフローチャートである。
【符号の説明】
【０１２７】
１４  撮像素子
２０  画像処理回路
５０  システム制御回路
１００  画像処理装置
４００  ストロボ装置
【図１】
2009300579.tif 000003
【図２】
2009300579.tif 000004
【図３】
2009300579.tif 000005
【図４】
2009300579.tif 000006
【図５】
2009300579.tif 000007